(57)【要約】【課題】組付性がよく生産性に優れ、良好なクリック状態を得る。【解決手段】リール本体側に設けられる本体側部材２１と、この本体側部材２１に対して回動可能に、かつ軸方向の移動が規制されて係止された調節操作部材２２と、本体側部材２１と調節操作部材２２との間に設けられた発音機構４０とを備えて制動力調節手段２０が構成され、発音機構４０は、本体側部材２１または調節操作部材２２の一方に設けられ、調節操作部材２２を支持する軸部材の同心円上に沿う複数の凹部４１ａが設けられた発音手段４１と、本体側部材２１または調節操作部材２２の他方に設けられ、凹部４１ａに対して係脱可能に設けられた摺接手段と、発音手段４１を摺接手段へ向けて付勢する付勢手段とを含んで構成される。【選択図】図２
2009000017.tif 000002
【特許請求の範囲】
【請求項１】
スプール、またはスプールとともに回転する回転部材の回転に対し、制動力を付与する制動力調節手段を備えた魚釣用リールであって、
前記制動力調節手段は、リール本体側に設けられる本体側部材と、この本体側部材に対して回動可能に、かつ軸方向の移動が規制されて係止された調節操作部材と、前記本体側部材と前記調節操作部材との間に設けられた発音機構とを備え、
前記発音機構は、前記本体側部材または前記調節操作部材の一方に設けられ、前記調節操作部材を支持する軸部材の同心円上に沿う複数の凹部が設けられた発音手段と、前記本体側部材または前記調節操作部材の他方に設けられ、前記凹部に対して係脱可能に設けられた摺接手段と、前記発音手段を前記摺接手段へ向けて付勢する付勢手段とを含んで構成されることを特徴とする魚釣用リール。
【請求項２】
前記本体側部材と前記調節操作部材とは、係止手段を介して相互に係止されていることを特徴とする請求項１に記載の魚釣用リール。
【請求項３】
前記摺接手段は、前記調節操作部材の軸方向において、リール本体側の端部に設けられていることを特徴とする請求項１または請求項２に記載の魚釣用リール。
【請求項４】
前記付勢手段は、前記発音手段、前記摺接手段および前記調節操作部材を介して、前記本体側部材と前記調節操作部材とが前記係止手段で係止されるように付勢することを特徴とする請求項２または請求項３に記載の魚釣用リール。
【請求項５】
前記発音手段は、前記本体側部材の軸方向に摺動可能にかつ前記調節操作部材の回動方向に回り止め嵌合されていることを特徴とする請求項１から請求項４のいずれか１項に記載の魚釣用リール。
【発明の詳細な説明】
【技術分野】
【０００１】
本発明は、魚釣用リールに関する。
【背景技術】
【０００２】
一般に、魚釣用リールには、スプール、またはスプールとともに回転する回転部材の回転に対し、制動力を付与する制動力調節手段が設けられている。制動力調節手段は、スプールまたはリール本体に回動自在に支持された調節操作部材を有しており、この調節操作部材を回動操作することで、スプールやリール本体の内部に設けた制動部材に対する押圧力を加減して、スプールまたは回転部材に対する制動力の調節を行っている。
【０００３】
従来、この調節操作部材の回動操作による制動力の調節を、確実かつ調節操作感をもって行うことができるように、調節操作部材の回動操作によって発音する発音機構を備えたものが知られている（例えば、特許文献１〜３参照）。
【０００４】
【特許文献１】実開平２−１２７１６８号公報
【特許文献２】特開２００４−３３７０６７号公報
【特許文献３】実開昭５６-１３６５７５号公報
【発明の開示】
【発明が解決しようとする課題】
【０００５】
前記従来の特許文献１，２では、いずれも、調節操作部材の端部に形成した凹部内に、コイルスプリングを挿入したクリックピンを配置し、これをリール本体側に回り止め嵌合されて複数の凹凸部を有した発音手段に弾発係合させて発音する構造となっている。
しかしながら、この構造では、コイルスプリングを挿入したクリックピンを配置する構造であるため、コイルスプリング自体が小さく、組み付けが煩雑で生産性に劣るという問題を有していた。また、コイルスプリング自体が小さいことから、長期的に良好なクリック状態を得ることが難しかった。
【０００６】
また、前記従来の特許文献３では、調節操作部材とハンドルアームとの間に発音機構となる凹凸部材と圧接部材（ばね）とが介設され、調節操作部材が、回動操作時にハンドル軸方向に進退する構造であるため、回動操作によって圧接部材のバネ力が変化してしまい、良好なクリック状態を得ることが難しかった。
【０００７】
本発明は、前記諸問題を解決するためになされたものであり、組付性がよく生産性に優れ、良好なクリック状態を得ることができる魚釣用リールを提供することを課題とする。
【課題を解決するための手段】
【０００８】
このような課題を解決する本発明の魚釣用リールは、スプール、またはスプールとともに回転する回転部材の回転に対し、制動力を付与する制動力調節手段を備えた魚釣用リールであって、前記制動力調節手段は、リール本体側に設けられる本体側部材と、この本体側部材に対して回動可能に、かつ軸方向の移動が規制されて係止された調節操作部材と、前記本体側部材と前記調節操作部材との間に設けられた発音機構とを備え、前記発音機構は、前記本体側部材または前記調節操作部材の一方に設けられ、前記調節操作部材を支持する軸部材の同心円上に沿う複数の凹部が設けられた発音手段と、前記本体側部材または前記調節操作部材の他方に設けられ、前記凹部に対して係脱可能に設けられた摺接手段と、前記発音手段を前記摺接手段へ向けて付勢する付勢手段とを含んで構成されることを特徴とする。
【０００９】
この魚釣用リールによれば、調節操作部材を支持する軸部材の同心円上に沿う複数の凹部が発音手段に設けられており、この発音手段が、付勢手段によって摺接手段へ付勢されて、摺接手段が凹部に係脱可能に摺接する構成であるので、摺接手段側を、本体側部材または調節操作部材の一方に固定して設けることができ、従来のように、摺接手段に対して小さなスプリングを使用するときのような煩雑な組み付けを行う必要がない。したがって、生産性が向上する。
【００１０】
また、調節操作部材は、本体側部材に対して回動可能に、かつ軸方向の移動が規制されて係止されているので、調節操作部材の回動操作時に軸方向に移動することがなく、回動操作量によって付勢力が変化するようなことがない。したがって、良好なクリック状態を得ることができる。
【００１１】
また、回動操作時に付勢手段の付勢力の変化を生じないので、所望のクリック音や操作感を得るための調整が行い易い。
さらに、摺接手段を固定して設けることが可能であるので、従来のように、小さなスプリングによって、クリックピンが頻繁に進退動する構成に比べて、耐久性を向上させることができる。
【００１２】
また、本発明は、前記本体側部材と前記調節操作部材とが、係止手段を介して相互に係止されている構成とするのがよい。
【００１３】
この魚釣用リールによれば、係止手段によって、本体側部材と調節操作部材とを係止させることができ、組み付けが行い易く、生産性を高めることができる。
【００１４】
また、本発明は、前記摺接手段が、前記調節操作部材の軸方向において、リール本体側の端部に設けられている構成とするのがよい。
【００１５】
この魚釣用リールによれば、摺接部材が、組み付けや取り外しの行い易い、リール本体側の端部に設けられているので、組立性が向上するとともに、メンテナンス性に優れた魚釣用リールが得られる。なお、摺接部材の交換時には、従来のように、小さなスプリングの取り外しを伴わずに摺接部材の単独の取り外しで行うことができるので、交換作業等をスムーズに行うことができる。
【００１６】
また、本発明は、前記付勢手段が、前記発音手段、前記摺接手段および前記調節操作部材を介して、前記本体側部材と前記調節操作部材とが前記係止手段で係止されるように付勢する構成とするのがよい。
【００１７】
この魚釣用リールによれば、付勢手段の付勢によって、係止手段による本体側部材と調節操作部材との係止が好適に保持されるようになり、調節操作部材の不必要なガタツキが抑制される。したがって、調節操作部材の操作感が向上され、良好なクリック状態を得ることができる。
【００１８】
また、前記発音手段は、前記本体側部材の軸方向に摺動可能にかつ前記調節操作部材の回動方向に回り止め嵌合されている構成とするのがよい。
【００１９】
この魚釣用リールによれば、発音手段が本体側部材の軸方向に摺動可能にかつ調節操作部材の回動方向に回り止め嵌合されているので、調節操作部材の回動操作に伴って、発音手段が共回りすることが防止されるとともに、発音手段が、本体側部材の軸方向に摺動し、付勢手段の弾発による凹部と発音手段との摺接による係脱を好適に実現することができる。これにより、良好なクリック状態を得ることができる。
【発明の効果】
【００２０】
本発明によれば、組付性がよく生産性に優れ、良好なクリック状態を得ることができる魚釣用リールが得られる。
【発明を実施するための最良の形態】
【００２１】
以下、本発明に係る魚釣用リールの実施の形態について図面を参照しながら説明する。
（第１実施形態）
参照する図面において、図１は本発明の第１実施形態に係る魚釣用リールとしてのスピニングリールの全体構成を示す説明図、図２は主要部の構成を示した部分断面図である。
なお、以下の例では、魚釣用リールとしてスピニングリールに適用した例を示すが、本発明の魚釣用リールの形態を限定する趣旨ではない。また、以下の説明において、「前、後」は、スピニングリールを図示しない釣竿に取り付けた状態を基準とする。つまり、後記するスプール３が設けられる側が「前」側であり、後記するオシレーティング機構が設けられる側が「後」側である。
【００２２】
図１に示すように、主として、スピニングリールは、図示しない釣竿に装着するための脚部１Ａが形成されたリール本体１と、リール本体１の前方に回転可能に設けられたロータ２と、このロータ２の回転運動と同期して前後方向移動可能に設けられたスプール３とを有して構成される。
【００２３】
リール本体１には、図示しない軸受を介してハンドル軸４が回転可能に支持されており、その図示しない突出端部には、巻き取り操作されるハンドル５が取り付けられている。ハンドル軸４には、図示しない駆動軸筒が回り止めされて固定されている。そして、この駆動軸筒には、ロータ２を巻き取り駆動するための内歯が形成されたドライブギヤ６が一体的に形成されている。このドライブギヤ６は、ハンドル軸４と直交する方向に延出するとともに内部に軸方向に延出する空洞部を有する回転軸７のピニオンギヤ７ａに噛合している。この回転軸７は、軸受を介して回転可能に支持され、その空洞部には、ハンドル軸４と直交する方向に延出し、先端側にスプール３を取り付けた軸部材としてのスプール軸８が、軸方向に移動可能に挿通されて、支持されている。
【００２４】
また、回転軸７には、スプール軸８を前後動させるためのオシレーティング機構が係合している。このオシレーティング機構は、スプール軸８と平行に延出するトラバースカム軸９と、このトラバースカム軸９の外周面に形成された図示しない螺旋溝に係合する図示しない係合子を収容保持するとともにスプール軸８の後端部にねじ止めして取り付けられた摺動子１０とを有している。
トラバースカム軸９の前端部には、回転軸７のピニオンギヤ７ａに噛合するギヤ１１が取り付けられている。これにより、ハンドル５の回転操作により、トラバースカム軸９がピニオンギヤ７ａおよびギヤ１１を介して回転駆動されることで、スプール軸８は、図示しない螺旋溝に案内される係合子および摺動子１０を介して前後往復動される。
【００２５】
回転軸７はスプール３側に向けて延出しており、回転軸７には、ナットＮを介してロータ２が取り付けられている。
ロータ２は、スプール３のスカート部３ａ内に位置する円筒部２ａと、一対の支持腕２ｂ，２ｂを具備している。各支持腕２ｂ，２ｂの前端部には、支持部材２ｃ，２ｃが釣糸巻き取り位置と釣糸放出位置との間で回動自在に支持されており、これらの支持部材２ｃ，２ｃ間には、放出状態にある釣糸をピックアップするベール２ｄが配設されている。
【００２６】
スプール３は、スカート部３ａとフランジ３ｂとの間に図示しない釣糸が巻回される胴部３ｃを備えて構成され、往復駆動されるスプール軸８に回り止め装着された図示しない部材を介して回転可能に支持されている。そしてスプール３とスプール軸８の先端部周りとの間には、ドラグ機構が配設されている。
【００２７】
ドラグ機構は、スプール軸８に回転可能に支持されたスプール３に対して所望の制動力、すなわちスプール３に巻回された釣糸が繰り出された際に、スプール３に対して所望の制動力を与えるようになっており、制動力調節手段２０と、制動部材３０とを備えて構成されている。
制動力調節手段２０は、スプール３の回転を制動するドラグ力の強弱の調節を行なうとともに、スプール３の抜け止めを果たす役割をなすものであり、リール本体１側に設けられる本体側部材２１と、本体側部材２１に対して回動可能に、かつスプール軸８の軸方向に移動が規制されて係止された調節操作部材２２とを備えて構成される。また、制動力調節手段２０の内部には、発音機構４０が設けられている。
【００２８】
本体側部材２１は、図２に示すように、前側に開口する中空部２１Ａを備えた断面略ハット状を呈しており、その中空部２１Ａに、ドラグスプリング２４の後部側、および発音機構４０の後記する発音手段４１や付勢手段としてのコイルスプリング４３が収容されるようになっている。本体側部材２１の底部２１ａには、スプール軸８が挿通される挿通孔２１ｂが形成されており、本体側部材２１は、この挿通孔２１ｂを介し、スプール軸８に対して、その軸方向に移動可能にかつ回り止め嵌合されている。
【００２９】
本実施形態では、中空部２１Ａが四角形や六角形等の角穴中空とされており、発音機構４０の後記する発音手段４１は、この角穴中空に対応した外形状を備えて装着されている。つまり、発音手段４１は、本体側部材２１に対して軸方向に摺動可能にかつ回り止め装着されている。
本体側部材２１の底部２１ａには、その前面に、ドラグスプリング２４の後端部を保持する突起部２１ｃが設けられており、また、発音機構４０のコイルスプリング４３の後端部に対応する位置に、この後端部が係止される係止溝２１ｄが周状に形成されている。
また、本体側部材２１の前端部には鍔部２３が設けられ、この鍔部２３には、後記する係止手段５０のリング状の係止部材５１が係止される係止段部２３ａが、その段部を後面側へ向けた状態にして周状に形成されている。
【００３０】
このような本体側部材２１は、スプール３の前部側に形成された段状の凹部３ｄ内に配置され、後記するようにしてスプール３との間に配置された制動部材３０をその底部２１ａの後面２１ｅで押圧するようになっている。
【００３１】
調節操作部材２２は、堤状に突出形成された操作部（ドラグ摘み部）２２ａを備え、係止手段５０を介して本体側部材２１の前面側に係止されている。そして、調節操作部材２２は、本体側部材２１の中空部２１Ａに連通する中空部２２Ａを後側に有しており、その中空部２２Ａに、ドラグスプリング２４の前部側が収容され、また発音機構４０の後記する摺接手段としての摺接ピン４２が突出配置されるようになっている。
【００３２】
中空部２２Ａの底部２２ｂには、凹部２２ｃが形成されており、この凹部２２ｃに、スプール軸８の先端部に形成された雄ねじ部８ａに螺合可能な雌ねじ部２５ａを有する筒状の押圧部材２５が配置されている。押圧部材２５の側面にはドラグスプリング２４の前端部が付勢力をもって当接するようになっている。
本実施形態では、凹部２２ｃが六角形等の角穴中空とされており、押圧部材２５は、この角穴中空に対応する外形状を備えて構成されて、凹部２２ｃに対して軸方向に移動可能に、かつ回り止め嵌合されて配置されている。
これによって、調節操作部材２２を後記するように回動操作すると、押圧部材２５は、スプール軸８に沿って回動しながら、凹部２２ｃ内を移動することとなり、その移動に伴って、ドラグスプリング２４の付勢力を調節して、所望の制動力を制動部材３０に与えるようになっている。
【００３３】
発音機構４０は、発音手段４１と、摺接ピン４２と、コイルスプリング４３とを備えて構成されている。
発音手段４１は、前記したように、本体側部材２１の中空部２１Ａに配置される部材であり、中空部２１Ａの角穴中空に対応した外形状（例えば六角形状）に形成され、本体側部材２１に対して軸方向に摺動可能にかつ回り止め装着されている。そして、発音手段４１には、調節操作部材２２を支持する軸部材を構成するスプール軸８の同心円上に沿う複数の凹部（図２では断面で表された２つを図示）４１ａが設けられている。
摺接ピン４２は、調節操作部材２２の底部２２ｂ（本体側部材２１側となる端部）に設けられた穴部２２ｄに嵌め込まれて固定されており、その先端が発音手段４１に摺接してその凹部４１ａに係脱可能に設けられている。
コイルスプリング４３は、発音手段４１を摺接ピン４２へ向けて付勢するようになっており、このコイルスプリング４３の付勢力によって、摺接ピン４２は、発音手段４１に対して好適に摺接し、調節操作部材２２の回動操作に伴って凹部４１ａに好適に係脱するようになっている。
【００３４】
本実施形態では、コイルスプリング４３のコイルを通る軸線Ｓの延長上に、発音手段４１の凹部４１ａおよび摺接ピン４２が位置するように設けられている。これによって、コイルスプリング４３の付勢力が発音手段４１の凹部４１ａへ好適に伝わり、凹部４１ａと摺接ピン４２との摺接および係脱が好適に行われるようになっている。
【００３５】
係止手段５０は、リング状に形成された係止部材５１と、固定ねじ５２とを備えている。係止部材５１は本体側部材２１の鍔部２３の係止段部２３ａに係止可能となっており、調節操作部材２２の後部周縁に周状に突設された固定部２２ｅに固定ねじ５２で固定される。そして、固定された状態で、係止部材５１と調節操作部材２２の後部との間には、本体側部材２１の係止段部２３ａを保持可能な空間部Ｋが形成されるようになっている。したがって、鍔部２３の係止段部２３ａを係止部材５１で挟み、これを固定ねじ５２で固定すると、調節操作部材２２は、本体側部材２１に対して回動可能に、かつ軸方向の移動が規制された状態に係止されることとなる。
【００３６】
また、係止された本体側部材２１と調節操作部材２２との間に、発音機構４０のコイルスプリング４３が介設されることとなるので、係止手段５０を介して本体側部材２１に調節操作部材２２を係止すると、コイルスプリング４３は、発音手段４１、摺接ピン４２および調節操作部材２２を介して、係止手段５０が係止段部２３ａに係止されるように付勢する。
【００３７】
制動部材３０は、スプール軸８に対して軸方向に移動可能で回り止め嵌合された２枚の制動板３１ａ，３１ｃと、スプール３の凹部３ｄに設けられた溝部３ｆに係止される突部を備え、スプール３と共に回転される１枚の制動板３１ｂと、制動板３１ａ，３１ｂ間、制動板３１ｂ，３１ｃ間、制動板３１ｃの側方に、それぞれ配置されたライニング材３２とを備えて構成されている。なお、これらの部材からなる制動部材３０は、前記調節操作部材２２が回動操作された際、前記押圧部材２５の摺動によるドラグスプリング２４の付勢力により本体側部材２１の後面２１ｅによって押圧され、スプール３の前端面３ｅとの間に圧接される。これによって、スプール３に対して所望のドラグ力を生じさせる。
【００３８】
次に、前記したドラグ機構の作用について説明する。
調節操作部材２２の操作部２２ａを摘んで回動操作すると、押圧部材２５が軸方向に沿って移動し、ドラグスプリング２４を介して、調節操作部材２２の回動操作量（軸方向への移動量）に応じた押圧力が制動部材３０に作用する。これにより、フリー回転可能に支持されたスプール３に、制動部材３０を介して所定の摩擦力が作用し、スプール３の釣糸繰り出し方向の回転に対して制動力が付与される。
【００３９】
このとき、調節操作部材２２の回動操作に伴って、摺接ピン４２がスプール軸８の回りを回動し、本体側部材２１に回り止め装着された発音手段４１に対して摺動しつつ、その凹部４１ａに先端部が係脱して発音する。この際、発音手段４１がコイルスプリング４３の付勢力によって、摺接ピン４２に弾発的に摺接して、発音手段４１の凹部４１ａと摺接ピン４２との係脱が好適に行われる。しかも、摺接ピン４２は、調節操作部材２２に固定されており、さらに、調節操作部材２２は、本体側部材２１に対して軸方向の移動が規制された状態に係止されているので、調節操作部材２２を回動操作しても摺接ピン４２が軸方向に移動することがなく、回動操作量によってコイルスプリング４３の付勢力が大きく変化するようなことがない。したがって、良好なクリック状態を得ることができる。
【００４０】
以上説明した本実施形態の魚釣用リールによれば、スプール軸８の同心円上に沿う複数の凹部４１ａが発音手段４１に設けられており、この発音手段４１が、コイルスプリング４３によって摺接ピン４２へ付勢されて、摺接ピン４２が凹部４１ａに係脱可能に摺接する構成であるので、摺接ピン４２側を、調節操作部材２２に固定して設けることができ、従来のように、摺接ピン４２に対して小さなスプリングを使用するときのような煩雑な組み付けを行う必要がない。したがって、生産性が向上する。
【００４１】
また、回動操作時にコイルスプリング４３の付勢力の変化を生じないので、所望のクリック音や操作感を得るための調整が行い易い。
さらに、摺接ピン４２が固定されているので、従来のように、小さなスプリングを介してクリックピンが頻繁に進退動する構成に比べて、耐久性を向上させることができる。
【００４２】
また、本体側部材２１と調節操作部材２２とは、係止手段５０を介して相互に係止させることができるので、組み付けが行い易く、生産性を高めることができる。
【００４３】
また、摺接ピン４２が、調節操作部材２２の軸方向において、リール本体１側の端部に設けられているので、組み付けや取り外しが行い易く、組立性が向上するとともに、メンテナンス性に優れた魚釣用リールが得られる。なお、摺接ピン４２の交換時には、従来のように、小さなスプリングの取り外しを伴わずに摺接ピン４２の単独の取り外しで行うことができるので、交換作業等をスムーズに行うことができる。
【００４４】
また、コイルスプリング４３は、発音手段４１、摺接ピン４２および調節操作部材２２を介して、係止手段５０が係止段部２３ａに係止されるように付勢するので、係止手段５０による本体側部材２１と調節操作部材２２との係止が好適に保持されるようになり、調節操作部材２２の不必要なガタツキが抑制される。したがって、調節操作部材２２の操作感が向上され、良好なクリック状態を得ることができる。
【００４５】
また、発音手段４１は、本体側部材２１の軸方向に摺動可能にかつ調節操作部材２２の回動方向に回り止め嵌合されているので、調節操作部材２２の回動操作に伴って、発音手段４１が共回りすることが防止されるとともに、発音手段４１が、本体側部材２１の軸方向に摺動し、コイルスプリング４３の弾発による凹部４１ａと摺接ピン４２との摺接による係脱を好適に行うことができる。
【００４６】
（第２実施形態）
図３は本発明の第２実施形態に係る魚釣用リールとしてのスピニングリールの全体構成を示す図、図４は主要部の構成を示した部分断面図である。なお、以下の説明において、前記第１実施形態と同様の部分には同様の符号を付してその詳細な説明を省略する。
本実施形態のスピニングリールには、スプール３に制動力を付与しながらスプール３の釣糸繰り出し方向への回転を許容するリヤドラグ方式のドラグ機構が設けられている点が異なる。
【００４７】
図３に示すように、本実施形態のスピニングリールでは、スプール軸８は、ピニオンギヤ７ａ内でハンドル軸４と直交する方向に摺動可能になっているとともに、回転可能に支持されている。また、スプール３は、スプール軸８にその先端部が直接に固定されており、スプール軸８と一体に回転できるように構成されている。
【００４８】
ドラグ機構は、制動力調節手段２０’と、制動部材３０’と、段付き円筒状の圧接部材６０とを備えて構成されている。制動力調節手段２０’は、リール本体１のフレーム（本体側部材）１ａと、フレーム１ａに対して回動可能に、かつスプール軸８の軸方向に移動が規制されて係止された調節操作部材２２’とを備えて構成される。また、フレーム１ａと調節操作部材２２’との間には、発音機構４０’が設けられている。
【００４９】
フレーム１ａは、図４に示すように、後側へ向けて突設された円筒部１ｂを有しており、この円筒部１ｂの中空部１Ｃに、ドラグスプリング２４、制動部材３０’が収容されるようになっている。また、円筒部１ｂの後部内面には雌ねじ部１ｄが形成されており、後記する押圧部材２５’の外周面に形成された雄ねじ部２５ｂが螺合可能となっている。また、円筒部１ｂを囲むように発音機構４０’が設けられている。また、円筒部１ｂの後部に調節操作部材２２’が支持されるようになっている。そして、フレーム１ａの基部１ｅには、圧接部材６０が回転可能に挿通される挿通孔１ｆが設けられている。挿通孔１ｆの口縁には、圧接部材６０の鍔部６１が配置される段部１ｇが形成されている。
【００５０】
調節操作部材２２’は、係止手段５０’を介してフレーム１ａの円筒部１ｂの後部を覆う状態で係止されるようになっており、内側に大小２つの凹部２６Ａ，２６Ｂを有する段状の凹部２６が形成されている。凹部２６Ａは、円筒部１ｂの外径よりも大径とされており、円筒部１ｂの後部を覆うようになっている。本実施形態では、円筒部１ｂが調節操作部材２２’を支持する軸部材を構成する。
【００５１】
凹部２６Ｂには、円筒部１ｂの雌ねじ部１ｄに螺合可能な雄ねじ部２５ｂが形成された段付円筒状の押圧部材２５’が配置されている。押圧部材２５’の前面にはドラグスプリング２４の後端部が付勢力をもって当接するようになっている。
凹部２６Ｂは、六角形等の角穴中空とされており、押圧部材２５’は、この角穴中空に対応する外形状を備えて構成されて、凹部２６Ｂに対して軸方向に移動可能に、かつ回り止め嵌合されて配置されている。
これによって、調節操作部材２２’を後記するように回動操作すると、押圧部材２５’は、円筒部１ｂに沿って回動しながら、凹部２６Ｂ内を移動することとなり、その移動に伴って、ドラグスプリング２４の付勢力を調節して、所望の制動力を制動部材３０’に与えるようになっている。
【００５２】
発音機構４０’は、発音手段４１’と、摺接ピン４２と、コイルスプリング４３とを備えて構成されている。
発音手段４１’は、凹部４１ａを有するリング状の部材であり、円筒部１ｂの外周面に図示しない凹凸等の嵌合手段によって保持され、円筒部１ｂに対して軸方向に移動可能に、かつ回り止め嵌合されて配置されている。なお、発音手段４１’は、調節操作部材２２’の前端部２８に後面側が保持されるようになっている。凹部４１ａは、調節操作部材２２’を支持する軸部材を構成する円筒部１ｂの同心円上に沿って複数設けられている（図４では断面で表された２つを図示）。
摺接ピン４２は、調節操作部材２２’の前端部（フレーム１ａ側となる端部）２８に設けられた穴部２２ｄに嵌め込まれて固定されており、その先端が発音手段４１’に摺接してその凹部４１ａに係脱可能に設けられている。
コイルスプリング４３は、発音手段４１’を摺接ピン４２へ向けて付勢するようになっており、このコイルスプリング４３の付勢力によって、摺接ピン４２は、発音手段４１’に対して好適に摺接し、調節操作部材２２’の回動操作に伴って凹部４１ａに好適に係脱するようになっている。
【００５３】
本実施形態においても、コイルスプリング４３のコイルを通る軸線Ｓの延長上に、発音手段４１’の凹部４１ａおよび摺接ピン４２が位置するように設けられている。これによって、コイルスプリング４３の付勢力が発音手段４１’の凹部４１ａへ好適に伝わり、凹部４１ａと摺接ピン４２との摺接および係脱が好適に行われるようになっている。
【００５４】
係止手段５０’は、円環状に形成された係止部材５１’と、この係止部材５１’をフレーム１ａの後端部の周縁に固定する固定ねじ５２’とを備えている。係止部材５１’の後端部には、調節操作部材２２’の前端部２８に設けられたフランジ部２７に係止可能なフック部５３が設けられている。そして、調節操作部材２２’は、このフック部５３を調節操作部材２２’のフランジ部２７に係止させ、フレーム１ａの後端部に係止部材５１’を固定ねじ５２’で固定した状態で、フレーム１ａに対して回動可能に、かつ軸方向の移動が規制された状態に係止されるように構成されている。そして、発音機構４０’は、固定された係止手段５０’によって露出不能に覆われるようになっている。つまり、発音機構４０’は、フレーム１ａ側の基部１ｅおよび円筒部１ｂと、調節操作部材２２’の前端部２８と、係止部材５１’とにより囲われる空間に配置されている。
【００５５】
また、係止されたフレーム１ａと調節操作部材２２’との間に、発音機構４０’のコイルスプリング４３が介設されることとなるので、係止手段５０’を介してフレーム１ａに調節操作部材２２’を係止すると、コイルスプリング４３は、発音手段４１’、摺接ピン４２および調節操作部材２２’を介して、調節操作部材２２’が係止部材５１’に係止されるように付勢する。
【００５６】
制動部材３０’は、円筒部１ｂの内周面に対して、軸方向に移動可能に回り止め嵌合された２枚の制動板３１ａ’，３１ｃ’と、圧接部材６０に対して軸方向に移動可能に回り止め嵌合された１枚の制動板３１ｂ’と、制動板３１ａ’，３１ｂ’間、制動板３１ｂ’，３１ｃ’間に配置されたライニング材３２とを備えて構成されている。なお、これらの制動部材３０’は、前記調節操作部材２２’が回動操作された際、前記押圧部材２５’の摺動によるドラグスプリング２４の付勢力によって押圧され、圧接部材６０の鍔部６１を押圧して所望のドラグ力を生じさせる。
【００５７】
圧接部材６０は、スプール軸８に回り止めされて固定された段付き円筒状の部材であり、フレーム１ａの基部１ｅの挿通孔１ｆに回転可能に挿通される第１円筒部６２と、後部側で制動部材３０’を支持する第２円筒部６３とからなる。第１円筒部６２と第２円筒部６３との間には、鍔部６１が設けられており、この鍔部６１は、挿通孔１ｆの口縁に設けられた段部１ｇに配置され、制動部材３０’に押圧されるようになっている。
【００５８】
次に、前記したドラグ機構の作用について説明する。
調節操作部材２２’を摘んで回動操作すると、押圧部材２５’が軸方向に沿って移動し、ドラグスプリング２４を介して、調節操作部材２２’の回動操作量（軸方向への移動量）に応じた押圧力が制動部材３０’に作用する。これにより、スプール軸８に回り止め固定された圧接部材６０に所定の摩擦力が作用し、スプール軸８に固定されたスプール３の釣糸繰り出し方向の回転に対して制動力が付与される。
【００５９】
このとき、調節操作部材２２’の回動操作に伴って、摺接ピン４２がスプール軸８の回りを回動し、フレーム１ａの円筒部１ｂに回り止め装着された発音手段４１’に対して摺動しつつ、その凹部４１ａに先端部が係脱して発音する。この際、発音手段４１’がコイルスプリング４３の付勢力によって、摺接ピン４２に弾発的に摺接して、発音手段４１’の凹部４１ａと摺接ピン４２との係脱が好適に行われる。しかも、摺接ピン４２は、調節操作部材２２’に固定されており、さらに、調節操作部材２２’は、フレーム１ａ(円筒部１ｂ)に対して軸方向の移動が規制された状態に係止されているので、調節操作部材２２’を回動操作しても摺接ピン４２が軸方向に移動することがなく、回動操作量によってコイルスプリング４３の付勢力が変化するようなことがない。したがって、良好なクリック状態を得ることができる。
【００６０】
以上説明した本実施形態の魚釣用リールによれば、調節操作部材２２’を支持する軸部材を構成する円筒部１ｂの同心円上に沿う複数の凹部４１ａが発音手段４１’に設けられており、この発音手段４１’が、コイルスプリング４３によって摺接ピン４２へ付勢されて、摺接ピン４２が凹部４１ａに係脱可能に摺接する構成であるので、摺接ピン４２側を、調節操作部材２２’に固定して設けることができ、従来のように、摺接ピン４２に対して小さなスプリングを使用するときのような煩雑な組み付けを行う必要がない。したがって、生産性が向上する。
【００６１】
また、回動操作時にコイルスプリング４３の付勢力の変化を生じないので、所望のクリック音や操作感を得るための調整が行い易い。
さらに、摺接ピン４２が固定されているので、従来のように、小さなスプリングを介してクリックピンが頻繁に進退動する構成に比べて、耐久性を向上させることができる。
【００６２】
また、フレーム１ａと調節操作部材２２’とは、係止手段５０’を介して相互に係止させることができるので、組み付けが行い易く、生産性を高めることができる。
【００６３】
また、摺接ピン４２が、調節操作部材２２’の軸方向において、リール本体１側の端部に設けられているので、組み付けや取り外しが行い易く、組立性が向上するとともに、メンテナンス性に優れた魚釣用リールが得られる。なお、摺接ピン４２の交換時には、従来のように、小さなスプリングの取り外しを伴わずに摺接ピン４２の単独の取り外しで行うことができるので、交換作業等をスムーズに行うことができる。また、係止部材５１’を取り外すだけで発音機構４０’が露出するので、交換作業等がより一層行い易い。
【００６４】
また、コイルスプリング４３は、発音手段４１’、摺接ピン４２および調節操作部材２２’を介して、調節操作部材２２’が係止手段５０’に係止されるように付勢するので、係止手段５０’によるフレーム１ａと調節操作部材２２’との係止が好適に保持されるようになり、調節操作部材２２’の不必要なガタツキが抑制される。したがって、調節操作部材２２’の操作感が向上され、良好なクリック状態を得ることができる。
【００６５】
また、発音手段４１’は、フレーム１ａの円筒部１ｂの軸方向に摺動可能にかつ調節操作部材２２’の回動方向に回り止め嵌合されているので、調節操作部材２２’の回動操作に伴って、発音手段４１’が共回りすることが防止されるとともに、発音手段４１’が、円筒部１ｂの軸方向に摺動し、コイルスプリング４３の弾発による凹部４１ａと摺接ピン４２との摺接による係脱を好適に実現することができる。
【００６６】
図５は本実施形態の変形例を示す図であり、この例では、発音手段４１’が調節操作部材２２’の先端部に、複数の凹部４１ａを周状に形成することで設けられており、また、これに対向するように、摺接ピン４２’を設けたリング部材４２Ａを、円筒部１ｂに対して軸方向に移動可能にかつ回り止め嵌合させて配置し、さらにリング部材４２Ａをコイルスプリング４３で発音手段４１’へ付勢するように設けて、発音機構４０’を構成した。
【００６７】
この例では、リング部材４２Ａに摺接ピン４２’を２つ突設したが、３つ以上突設してこれらが凹部４１ａにそれぞれ摺接して係脱するように構成してもよい。
【００６８】
この変形例においては、摺接ピン４２’を有するリング部材４２Ａが、フレーム１ａの円筒部１ｂの軸方向に摺動可能にかつ調節操作部材２２’の回動方向に回り止め嵌合されているので、調節操作部材２２’の回動操作に伴って、リング部材４２Ａが共回りすることが防止されるとともに、リング部材４２Ａが、円筒部１ｂの軸方向に摺動して、コイルスプリング４３の弾発による摺接ピン４２’と凹部４１ａとの摺接による係脱を好適に行うことができる。
しかも、コイルスプリング４３が、円筒部１ｂの周りに配置される大径のものを用いているので摺接ピン４２’へ与えられる付勢力が安定し、良好なクリック状態が得られるとともに、耐久性が向上する。また、大径であるので、組付性に優れる。
【００６９】
なお、前記実施形態では軸部材としてスプール軸８や円筒部１ｂを示したが、軸部材としては、その他に、スプール軸７とは別軸とされてスプール軸に平行に設けられる軸部材やハンドル軸等のスプール軸に交叉する方向に設けられる軸部材が挙げられ、これらの軸部材の同心円上に沿う複数の凹部４１ａを備えて発音機構の発音手段を構成してもよい。
【図面の簡単な説明】
【００７０】
【図１】本発明の第１実施形態に係る魚釣用リールとしてのスピニングリールの全体構成を示す図である。
【図２】主要部の構成を示した部分断面図である。
【図３】本発明の第２実施形態に係る魚釣用リールとしてのスピニングリールの全体構成を示す図である。
【図４】主要部の構成を示した部分断面図である。
【図５】変形例の主要部の構成を示した部分断面図である。
【符号の説明】
【００７１】
１      リール本体
１ａ    フレーム（本体側部材）
１ｂ    円筒部
２      ロータ
３      スプール
５      ハンドル
７      回転軸
８      スプール軸
２０    制動力調節手段
２１    本体側部材
２１Ａ  中空部
２２    調節操作部材
２２Ａ  中空部
２３    鍔部
２３ａ  係止段部
２４    ドラグスプリング
２５    押圧部材
３０    制動部材
４０    発音機構
４１    発音手段
４１ａ  凹部
４２    摺接ピン（摺接手段）
４２Ａ  リング部材
４３    コイルスプリング（付勢手段）
５０    係止手段
５１    係止部材
５３    フック部
６０    圧接部材
６１    鍔部
【図１】
2009000017.tif 000003
【図２】
2009000017.tif 000004
【図３】
2009000017.tif 000005
【図４】
2009000017.tif 000006
【図５】
2009000017.tif 000007